(57)【要約】【課題】人の顔面の形状に沿って容易に折り曲げ・変形可能な発熱具を提供する。【解決手段】人の顔面に装着され、発熱組成物３から発生する熱により目および目の周囲に温熱を与える発熱具１であって、発熱組成物３を内部に収納した本体部２と、本体部２の人の顔面に装着される側の面に設けられた粘着層４とを備え、本体部２は、粘着層４が設けられていないあるいは粘着層４の厚みの薄い無粘着層領域６を、人の顔面に装着される側の面に有し、無粘着層領域６は、本体部２の上下方向に沿って延びるように設けられ、本体部２の折り曲げ部として機能する。無粘着層領域６は、本体部２の人のこめかみに対応する位置に設けられるとともに、本体部２の人の鼻筋に対応する位置に設けられている。【選択図】図２
2014008268.tif 000002
【特許請求の範囲】
【請求項１】
人の顔面に装着され、発熱組成物から発生する熱により目および目の周囲に温熱を与える発熱具であって、
前記発熱組成物を内部に収納した本体部と、前記本体部の人の顔面に装着される側の面に設けられた粘着層とを備え、
前記本体部は、前記粘着層が設けられていないあるいは前記粘着層の厚みの薄い無粘着層領域を、人の顔面に装着される側の面に有し、
前記無粘着層領域は、前記本体部の上下方向に沿って延びるように設けられ、前記本体部の折り曲げ部として機能する発熱具。
【請求項２】
前記無粘着層領域は、前記本体部の人のこめかみに対応する位置に設けられる請求項１に記載の発熱具。
【請求項３】
前記無粘着層領域は、前記本体部の人の鼻筋に対応する位置に設けられる請求項１または２に記載の発熱具。
【請求項４】
前記無粘着層領域の横幅が１ｍｍ〜１０ｍｍである請求項１〜３のいずれかに記載の発熱具。
【請求項５】
前記無粘着層領域は、前記粘着層の形成時に粘着剤を前記本体部に対して部分的に塗布しないことにより形成される請求項１〜４のいずれかに記載の発熱具。
【請求項６】
前記無粘着層領域は、前記本体部に塗布された粘着剤を部分的に上方から押圧することにより形成される請求項１〜４のいずれかに記載の発熱具。
【請求項７】
前記無粘着層領域は、前記本体部に塗布された粘着剤を部分的に熱溶融して粘着剤を取り除くことにより形成される請求項１〜４のいずれかに記載の発熱具。
【発明の詳細な説明】
【技術分野】
【０００１】
本発明は、人の顔面に装着され、目および目の周囲に温熱を与えるアイマスク型の発熱具に関するものである。
【背景技術】
【０００２】
従来より、人の顔面に装着され、目および目の周囲に温熱を与えることのできるアイマスク型の発熱具が知られている。一般的なアイマスク型の発熱具は、例えば特許文献１に記載されているように、装着時に両目を覆う本体部の両側縁部に一対の耳掛け部が設けられており、両耳掛け部を両耳に掛けることで発熱具が顔面に装着される。
【先行技術文献】
【特許文献】
【０００３】
【特許文献１】特開２００８−２９５７７９号公報
【発明の概要】
【発明が解決しようとする課題】
【０００４】
しかし、特許文献１に記載のアイマスク型発熱具では、耳掛け部を耳に掛けるため、耳裏の一部分に負担がかかって、装着時に使用者が耳に違和感や不快感を感じたり、さらには耳の後ろが痛くなったりするなどの問題が生じる。また、耳掛け部を耳に掛けることで本体部を人の顔面に対向させているので、本体部が顔面に対して容易に上下にずれたり顔面から浮き上がったりなどして、本体部の顔面とのフィット感が良くないという問題もあり、発熱具の装着時の使用感が悪いという課題がある。
【０００５】
本発明は、上記した課題に着目してなされたもので、装着時の使用感が良好なアイマスク型の発熱具を提供することを目的とする。
【課題を解決するための手段】
【０００６】
本発明の上記目的は、人の顔面に装着され、発熱組成物から発生する熱により目および目の周囲に温熱を与える発熱具であって、前記発熱組成物を内部に収納した本体部と、前記本体部の人の顔面に装着される側の面に設けられた粘着層とを備え、前記本体部は、前記粘着層が設けられていないあるいは前記粘着層の厚みの薄い無粘着層領域を、人の顔面に装着される側の面に有し、前記無粘着層領域は、前記本体部の上下方向に沿って延びるように設けられ、前記本体部の折り曲げ部として機能する発熱具によって達成される。
【０００７】
上記構成の発熱具の好ましい実施態様においては、前記無粘着層領域は、前記本体部の人のこめかみに対応する位置に設けられることを特徴としている。この実施態様において、発熱組成物は、本体部の人のこめかみに対応する位置よりも内側方に収納され、無粘着層領域とは重複しないように収納されるのが好ましい。発熱組成物が無粘着層領域に存在すると、その分、無粘着層領域における本体部の剛性が高まるため、発熱組成物を無粘着層領域とは重複しないように本体部に収納することで、本体部を無粘着層領域において良好に折り曲げることができ、本体部を顔面のこめかみの形状に沿って変形させ易くすることができる。
【０００８】
上記構成の発熱具のさらに好ましい実施態様においては、前記無粘着層領域は、前記本体部の人の鼻筋に対応する位置に設けられることを特徴としている。この実施態様において、発熱組成物は、本体部の人の鼻筋に対応する位置よりも外側方に収納され、無粘着層領域とは重複しないように収納されるのが好ましい。発熱組成物が無粘着層領域に存在すると、その分、無粘着層領域における本体部の剛性が高まるため、発熱組成物を無粘着層領域とは重複しないように本体部に収納することで、本体部を無粘着層領域において良好に折り曲げることができ、本体部を顔面の鼻筋の形状に沿って変形させ易くすることができる。
【０００９】
上記構成の発熱具のさらに好ましい実施態様においては、前記無粘着層領域の横幅が１ｍｍ〜１０ｍｍであることを特徴としている。
【００１０】
上記構成の発熱具のさらに好ましい実施態様においては、前記無粘着層領域は、前記粘着層の形成時に粘着剤を前記本体部に対して部分的に塗布しないことにより形成されることを特徴としている。
【００１１】
上記構成の発熱具のさらに好ましい他の実施態様においては、前記無粘着層領域は、前記本体部に塗布された粘着剤を部分的に上方から押圧することにより形成されることを特徴としている。
【００１２】
上記構成の発熱具のさらに好ましい他の実施態様においては、前記無粘着層領域は、前記本体部に塗布された粘着剤を部分的に熱溶融して粘着剤を取り除くことにより形成されることを特徴としている。
【００１３】
本発明の上記目的は、人の顔面に装着され、発熱組成物から発生する熱により目および目の周囲に温熱を与える発熱具であって、前記発熱組成物を内部に収納した本体部と、前記本体部の人の顔面に装着される側の面に設けられた粘着層とを備え、前記本体部は、人の両目に対応する位置にそれぞれ設けられ、互いに区分けされた前記発熱組成物の収納部を複数備えている発熱具によっても達成される。
【００１４】
上記構成の発熱具の好ましい実施態様においては、前記複数の収納部の平面視における総面積が２０ｃｍ２〜２００ｃｍ２であることを特徴としている。例えば、本体部に人の両目に対応するよう収納部を左右に１つずつ（合計２つ）設ける場合には、２つの収納部の平面視における面積の合計が２０ｃｍ２〜２００ｃｍ２の範囲にあればよい。この場合、左右の収納部の大きさは同じであることが望ましく、各収納部の平面視における面積がそれぞれ１０ｃｍ２〜１００ｃｍ２であることが望ましい。また、本体部の人の両目に対応する位置に、それぞれ、左右１つずつの収納部ではなく、１つの収納部を分割するような複数の区分けされた収納部を設ける場合には、左右それぞれの位置の全ての収納部の平面視における面積の合計が１０ｃｍ２〜１００ｃｍ２であることが望ましい。
【発明の効果】
【００１５】
本発明の発熱具によれば、本体部の人の顔面に装着される側の面に粘着層を形成し、この粘着層により本体部を人の顔面に貼り付けているので、本体部を顔面に対してフィットさせることができる。そのうえ、無粘着層領域の部分で本体部を容易に折り曲げることができるので、装着時に本体部が人の顔面の形状に沿って変形する結果、本体部の顔面に対するフィット感をより向上できるうえ、本体部が顔面から簡単に剥れてしまうことを防止できるので、装着時の使用感を良好なものとすることができる。
【図面の簡単な説明】
【００１６】
【図１】本発明の一実施形態に係る発熱具の構成を示す断面図である。
【図２】粘着層が設けられた側の面から見た本体部の平面図である。
【図３】本体部のヒートシール領域および非ヒートシール領域を示した説明図である。
【図４】他の実施形態の本体部のヒートシール領域および非ヒートシール領域を示した説明図である。
【図５】他の実施形態の本体部のヒートシール領域および非ヒートシール領域を示した説明図である。
【発明を実施するための形態】
【００１７】
以下、本発明に係る発熱具の実施形態について図面を参照しつつ説明する。本実施形態の発熱具１は、人の顔面に装着され、目および目の周囲に温熱を与えるアイマスク型のものであり、図１〜図３に示すように、本体部２と、本体部２内に収納された発熱組成物３と、本体部２の一方の面に設けられた粘着層４とを備え、粘着層４は剥離シート５により覆われている。
【００１８】
本体部２は、扁平形状でありかつ平面視横長の形状であって、目および目の周囲を覆うに足る大きさを有している。本体部２は、平面視において、横方向に延びる上縁部２０ａおよび下縁部２０ｂと、縦方向に延びる両側縁部２０ｃ，２０ｃとを有しており、その縦中心線において左右対称形になっている。上縁部２０ａは直線状または例えばわずかに凹凸のある略直線状に延びているのに対して、下縁部２０ｂは、装着時に目の下に位置するので、鼻の形状に沿うようにその中央部分が凹状に湾曲した形状になっている。また、両側縁部２０ｃは、本実施形態では、外側に向けて凸状に湾曲した形状となっている。
【００１９】
本体部２は、第１シート２１および第２シート２２からなり、両者をヒートシールで互いに接合することによって、発熱組成物３を密封収納可能な２つの収納部２３を内部に有する袋状に形成されている。この２つの収納部２３は、周囲が第１シート２１および第２シート２２をヒートシールにより接合したヒートシール領域２４により囲まれていて、互いに区画された閉じた空間になっており、発熱具１を装着したときに使用者の両目部分にそれぞれ対向する位置に設けられている。
【００２０】
第１シート２１は、通気性を有しており、発熱具１の装着時に外側を向く。この第１シート２１は、例えば、ＪＩＳ  Ｋ７１２９に規定されるＡ法（感湿センサー法）により測定した水蒸気透過度が１００ｇ／ｍ２・ｄａｙ〜３０００ｇ／ｍ２・ｄａｙ程度のシートが好ましく、２００ｇ／ｍ２・ｄａｙ〜１５００ｇ／ｍ２・ｄａｙ程度のシートとすることがより好ましい。このような第１シート２１は、単層構成であってもよいし、多層構成であってもよい。多層構成とする場合、例えば、第１シート２１を、多孔質フィルムと不織布とを積層した積層シートとすることができ、この場合は多孔質フィルムを発熱組成物３と接するように配置する。このような多孔質フィルムの材質としては、例えば、ウレタン、ポリエチレン、ポリプロピレンなどを挙げることができ、また、不織布の材質としては、ポリエステルやポリプレピレン、ナイロン、レーヨン、ポリオレフィンなどを挙げることができ、不織布以外にも例えば紙などを挙げることができる。
【００２１】
第２シート２２は、好ましくは非通気性であり、発熱具１の装着時に使用者の顔面側を向く。この第２シート２２は、単層構成であってもよいし、多層構成であってもよい。第２シート２２を多層構成とする場合は、例えば、第１シート２１を固着させるシーラント層にメタロセン触媒によって共重合させたポリエチレンを配置し、このシーラント層上面を乳白加工をして中間層を形成することで発熱組成物３の隠蔽性を上げ、また、この中間層上面に粘着加工性を上げた積層状のポリエチレンを表面層として配置した構成とすることができる。また、表面層にポリエステル、ポリプロピレン、ナイロン、レーヨンなどの不織布や紙などを配置することができる。なお、第２シート２２は、第１シート２１と同様に、通気性を有するもので構成されていても構わない。
【００２２】
本体部２の収納部２３内に収納される発熱組成物３としては、空気との接触により発熱するものであればよく、例えば、鉄粉、保水剤、酸化促進剤、金属塩、および水を適宜の含有量含んでいる組成物を使用することができる。この場合、鉄粉が空気中の酸素と反応して発熱することにより、発熱具１は温熱効果を発揮する。なお、鉄粉、保水剤、酸化促進剤、金属塩および水としては、公知の発熱組成物に使用されている種々の物質・大きさ（粒径）のものを使用することができる。また、発熱組成物３は、上記成分以外にも、必要に応じて、その他の配合可能な添加剤を含有してもよく、各成分を混合することにより、発熱組成物３が調製される。混合は、必要に応じて、真空下または不活性ガス雰囲気下で行い、例えば、米国特許第４，６４９，８９５号に記載された方法に従って混合すればよい。
【００２３】
粘着層４は、装着時に人の顔面側を向く第２シート２２の表面に設けられており、粘着層４を介して、本体部２が人の顔面に貼り付けられることで発熱具１が装着される。この粘着層４は、例えば、アクリル系粘着剤やウレタン系粘着剤、シリコーン系粘着剤、ゴム系粘着剤、松脂などの粘着剤を第２シート２２の表面に塗布することによって形成することができる。ゴム系粘着剤の具体例としては、例えば、天然ゴムや、ＳＩＳ（スチレン−イソプレン−スチレン）系、ＳＢＲ（スチレン・ブタジエンラバー）系などの合成ゴムなどを挙げることができる。この粘着剤の塗布量は、粘着層４の厚みが１０μｍ〜３０００μｍ程度となるように塗布することが好ましい。
【００２４】
本実施形態では、図１および図２に示すように、本体部２の人の顔面に装着される側の面に、粘着層４が設けられていないもしくは粘着層４の厚みが他の部分よりも薄い無粘着層領域６が形成されている。本実施形態では、本体部２の３箇所の位置に、無粘着層領域６が本体部２の上下方向に沿って延びるように設けられている。この無粘着層領域６は、例えば、粘着層４の形成時に、粘着剤を本体部２の無粘着層領域６を形成する部分にだけ塗布しないことによって形成したり、もしくは、粘着剤を本体部２の全面に塗布して粘着層４を形成した後、粘着層４の無粘着層領域６を形成する部分を上方から押圧して粘着層４を部分的に押しつぶすことで形成したり、もしくは、粘着層４の無粘着層領域６を形成する部分を熱溶融して粘着層４を取り除くことなどにより形成することができる。
【００２５】
このような無粘着層領域６が本体部２に形成されることによって、この無粘着層領域６では、粘着層４が設けられていない分、もしくは、粘着層３の厚みが薄い分だけ、本体部２の剛性が低くなっている。その結果、この無粘着層領域６で、本体部２は折り曲げ易くなり、発熱具１の装着時に、無粘着層領域６が本体部２の折り曲げ線として機能して本体部２を人の顔面の形状に沿って変形させ易くなっている。
【００２６】
人の顔面には、例えば鼻筋の部分に凹凸があり、また、目尻からこめかみにかけての部分は湾曲しているので、発熱具１の装着時の使用感を良好なものとするためには、本体部２は、人の顔面にフィット（密着）するよう顔面の形状に沿って容易に折り曲げ可能である必要がある。しかし、例えば、粘着層４を本体部２の全面に形成すると、本体部２の剛性が高くなって本体部２が折り曲げ・変形し難くなる。そのうえ、本体部２の両側部分は、約９０度後方に折り曲げられて顔面のこめかみ部分に貼り付けられるので、本体部２の剛性が高いと、折り曲げられた本体部２の両側部分が元の状態に戻ろうとする力、つまりは、顔面から剥れようとする力が強くなるおそれがある。これに対して、本実施形態では、本体部２に無粘着層領域６を設けることで、無粘着層領域６の位置で本体部２を使用者の顔面の形状に沿って容易に折り曲げ・変形させることが可能になっている。
【００２７】
本実施形態では、本体部２の収納部２３の内側方（左右方向内側）、つまりは、２つの収納部２３の間に無粘着層領域６が設けられており、この無粘着層領域６は、発熱具１を人の顔面に装着したときに顔面の鼻筋部分に位置する。これにより、本体部２は、顔面の鼻筋に沿って容易に二つに折れ曲がり、顔面にフィットして顔面との密着性が向上する。さらに、本体部２の２つの収納部２３の外側方（左右方向外側）にそれぞれ無粘着層領域６が設けられており、この２つの無粘着層領域６は、発熱具１を人の顔面に装着したときに顔面のこめかみ部分に位置する。これにより、本体部２は、顔面のこめかみに沿って容易に折れ曲がって本体部２の両側部が顔の側面に良好に接着する。これにより、本体部２の両側部が顔面から剥れ難くなり、本体部２の顔面への良好な密着状態（フィット性）を保持することができる。
【００２８】
上記した無粘着層領域６の横幅は、１ｍｍ〜１０ｍｍの範囲にあることが好ましく、本実施形態では５ｍｍに設定されている。無粘着層領域６の横幅が１ｍｍよりも小さいと、顔面の凹凸に沿って折れ曲がる効果が小さくなるため好ましくなく、１０ｍｍよりも大きいと、無粘着層領域６が大きくなるために、その部分が肌に貼り付かず、装着時に顔面から浮いてしまうため好ましくないためである。
【００２９】
さらに、本実施形態では、図３に示すように、本体部２は、発熱組成物３を収納する２つの収納部２３以外の全域において、第１シート２１と第２シート２２とがヒートシールで接合されておらず、部分的にヒートシールされていない非ヒートシール領域２５が設けられている。本実施形態では、各収納部２３の周囲がヒートシールされてヒートシール領域２４となっている一方で、各収納部２３の外側方（本体部２の両側部分）はヒートシールされていない非ヒートシール領域２５となっている。また、本体部２の両側部分において、側縁部２０ｃは部分的にヒートシールされて複数のヒートシール領域２４が間隔をあけて設けられている。
【００３０】
第１シート２１および第２シート２２がヒートシールで接合されると、第２シート２２に設けられた粘着層４（粘着剤）がヒートシール時の熱により溶融・変質して粘着力が低下する。そのため、収納部２３以外の全域において第１シート２１および第２シート２２をヒートシールすると、本体部２は粘着層４の粘着力が低下したヒートシール領域２４が大部分を占めるため、装着時に本体部２が剥がれ易くなって十分に人の顔面に貼り付かないという問題がある。これに対して、本実施形態のように、本体部２に非ヒートシール領域２５を設けることで、粘着層４の粘着力が低下したヒートシール領域２４を部分的なものとし、非ヒートシール領域２５では粘着層４が十分な粘着力を維持しているので、装着時に本体部２を人の顔面から剥がれ難くすることができる。特に、約９０度後方に折り曲げられるため、人の顔面から剥れようとする方向の力が生じて顔面から剥がれ易くなっている本体部２の両側部分に、非ヒートシール領域２５を設けることで、より効果的に本体部２を人の顔面から剥がれ難いものとすることができる。
【００３１】
また、本体部２の側縁部２０ｃにヒートシール領域２４が設けられることで、このヒートシール領域２４では第１シート２１および第２シート２２が互いに接合されているので、第１シート２１および第２シート２２が端部から捲れて第１シート２１と第２シート２２とが剥がれることを防止することができる。また、本実施形態では、本体部２の側縁部２０ｃに複数のヒートシール領域２４を間隔をあけて部分的に設けているので、側縁部２０ｃの粘着層４の粘着力の低下を抑えつつ、第１シート２１と第２シート２２とが簡単に剥がれるのを防止している。
【００３２】
なお、本体部２の側縁部２０ｃに設けるヒートシール領域２４の大きさ・間隔・数などは、第１シート２１と第２シート２２とが簡単に剥がれるのを防止できるのであれば、適宜設定することができ、また、図４に示すように、側縁部２０ｃに沿ってヒートシール領域２４を設けることもできる。なお、この場合に、ヒートシール領域２４は、図４に示されているように、側縁部２０ｃの全辺にわたって設けられている必要はない。また、ヒートシール領域２４は必ずしも側縁部２０ｃに沿って延びている必要はなく、図５に示すように、本体部２の上縁部２０ａおよび下縁部２０ｃに対して垂直に真っ直ぐ直線状に延びるなど、種々の形状にすることができる。さらに、非ヒートシール領域２５は必ずしも本体部２に設けられる必要はなく、本体部２の全域（収納部２３を除く）について第１シート２１および第２シート２２をヒートシールで接合するように構成してもよい。
【００３３】
非ヒートシール領域２５は、各収納部２３から３ｍｍ以上の間隔ｄをあけて設けられているのが好ましい。上記間隔ｄが３ｍｍより小さいと、各収納部２３および非ヒートシール領域２５の境界となるヒートシール領域２４の幅、つまり、第１シート２１および第２シート２２の接合領域の幅が小さくなり過ぎる結果、第１シート２１および第２シート２２の接合が外れやすくなって収納部２３が簡単に開放され、収納部２３内の発熱組成物３が漏れ落ちるおそれがあるからである。
【００３４】
剥離シート５は、本体部２と同じ形状をしており、発熱具１の装着時まで粘着層４を覆って保護するためのものであり、装着時に粘着層４から剥離される。この剥離シート５は、例えば、紙、ポリエチレンテレフタレート、ポリエチレンなどを単独または複数組み合わせて積層し、これらの粘着層４を覆う側の面にシリコン加工を施して形成することができる。なお、剥離シート５は、１枚のシートで構成されていてもよいが、図１に示すように、１枚のシートにカッターなどを用いてスリット５２を形成することで当該シートを２枚のシート片５０，５１に分割し、２枚のシート片５０，５１によって、本体部２の粘着層４を覆うように構成してもよい。これにより、スリット５２から２枚のシート片５０，５１をスムーズに本体部２から剥離することができる。
【００３５】
次に、上述した発熱具１の使用方法について説明する。発熱具１は、発熱組成物３が空気の存在下で発熱するため、使用前においては空気との接触を防ぐ必要があり、常時は空気を通過させることのない気密性を有する包装袋内に収容されており、使用に際し包装袋を開封して発熱具１を取り出す。そして、発熱具１の剥離シート５を本体部２から剥がし、各収納部２３内の発熱組成物３が使用者の両目およびその周囲に当たるように、粘着層４を介して本体部２を使用者の顔面に貼り付ける。これにより、発熱組成物３から発生する熱により目および目の周囲に温熱が与えられる。
【００３６】
その際、本体部２の中央位置に設けられた無粘着層領域６が使用者の顔面の鼻筋部分に当たるので、本体部２は、この中央の無粘着層領域６で容易に二つに折れて、顔面の形状に沿って変形する。よって、本体部２が使用者の顔面にフィット性よく密着し、発熱具１の装着に起因する違和感を低減させることができるとともに、発熱組成物３からの温熱の伝達効率も向上する。また、本体部２の両側位置に設けられた２つの無粘着層領域６が使用者の顔面のこめかみ部分に当たるので、本体部２は、この両側の無粘着層領域６で顔面のこめかみの形状に沿って容易に９０度後方に折れ曲がって、本体部２の両側部分が顔の側面に良好に密着する。このとき、本体部２の両側部分には非ヒートシール領域２５が設けられているので、本体部２の両側部分は粘着層４が十分な粘着力を維持しているため、顔の側面に強固に密着する。よって、本体部２の両側部分が顔面から剥れ難くなり、本体部２の顔面への良好な密着状態（フィット性）を保持することができるため、使用感を優れたものにできるとともに発熱組成物３の温熱効果を持続的に発揮できる。
【００３７】
以上のように、本実施形態の発熱具１によれば、本体部２の人の顔面に装着される側の面に粘着層４を形成し、この粘着層４により本体部２を人の顔面に貼り付けているので、装着時に使用者の耳に違和感や不快感、痛みを感じさせることがなく、かつ、本体部２を顔面に対してフィットさせることができる。よって、装着時の使用感を良好なものにできるとともに、発熱組成物３が両目およびその周囲に適切に配置されるので、発熱組成物３による温熱効果を効果的に引き出すことができる。
【００３８】
また、発熱組成物３を収納する収納部２３が人の両目それぞれに対応するように本体部２に２つ設けられているので、例えば、人の両目をともに覆うような横長形状の収納部２３が１つ本体部２に設けられている場合と比較して、発熱組成物３の目およびその周囲へのフィット感が高まる。その結果、使用感および温熱効果ともにより良好なものとすることができる。なお、収納部２３の大きさとしては、２つの収納部２３の平面視における総面積が２０ｃｍ２〜２００ｃｍ２（１つの収納部２３の面積としては１０ｃｍ２〜１００ｃｍ２）であることが、目およびその周囲へのフィット感という観点から好ましい。なお、本実施形態では、収納部２３の縦の長さｌ１×横の長さｌ２（図２に示す）が４６ｍｍ×６２ｍｍであり、収納部２３の下縁部の長さｌ３が４０ｍｍとなっている。また、発熱組成物３を収納した際の収納部２３位置の発熱体１の厚みｔ（図１に示す）としては、０．５ｍｍ〜１０ｍｍであることが同様に好ましい。
【００３９】
また、本体部２に無粘着層領域６を設けることで、本体部２を使用者の顔面の形状に沿って容易に折り曲げ・変形することができるので、装着時に、使用者の顔面に本体部２がより好適にフィットし、また、使用者の顔面から本体部２が剥れ難くなるため、使用感をより優れたものにでき、かつ、発熱組成物３による温熱効果を一層効果的に引き出すことができる。
【００４０】
以上、本発明の実施形態について説明したが、本発明は上記実施形態に限定されるものではなく、本発明の趣旨を逸脱しない限りにおいて種々の変更が可能である。例えば、上記実施形態では、発熱組成物３は、本体部２の人のこめかみに対応する位置よりも内側方に収納されるとともに、人の鼻筋に対応する位置よりも外側方に収納され、３つの無粘着層領域６と重複しないように本体部２に収納されることで、本体部２を無粘着層領域６において良好に折り曲げることができるように構成されているが、必ずしも、発熱組成物３を無粘着層領域６と重複しないように本体部２に収納する必要はなく、発熱組成物３が無粘着層領域６と重複するように本体部２に収納されていても構わない。
【００４１】
また、上記実施形態では、無粘着層領域６が、装着時に人の顔面の鼻筋およびこめかみに対応する本体部２の中央位置および両側位置の３箇所に設けられているが、これは、人の顔面の鼻筋部分およびこめかみ部分では特に本体部２を折り曲げ・変形可能とする必要があるためであり、他に顔面の形状に沿って変形させる必要がある顔面の部分があれば、無粘着層領域６を本体部２の上記部分に対応する位置に設けるようにしてもよい。
【００４２】
また、上記実施形態では、無粘着層領域６が上下方向に沿って延びているが、上下方向に沿って延びるとは、何も図示例のように、本体部２の上縁部および下縁部に対して垂直に真っ直ぐ直線状に延びる場合のみを指すのではなく、多少斜めを向いて延びていてもよく、また、多少湾曲していたり波形状に延びていても構わない。
【００４３】
また、上記実施形態では、発熱組成物３を収納する収納部２３が、人の両目それぞれに対応するように本体部２に左右１つずつ（合計２つ）設けられているが、左右の各収納部２３が、例えば２つ〜４つなどの複数の区分けされた収納部に分割されていても構わない。また、人の両目以外の位置に収納部２３が設けられていても構わない。
【符号の説明】
【００４４】
１    発熱具
２    本体部
３    発熱組成物
４    粘着層
６    無粘着層領域
【図１】
2014008268.tif 000003
【図２】
2014008268.tif 000004
【図３】
2014008268.tif 000005
【図４】
2014008268.tif 000006
【図５】
2014008268.tif 000007